(57)【要約】【課題】設置場所についての情報を取得し、これに応じた制御を行うことができる画像形成装置を提供することである。【解決手段】画像データに基づいて用紙に画像を形成する画像形成手段と、画像形成装置の動作を制御する制御手段と、ユーザが操作入力する操作手段とを有する画像形成装置において、画像形成装置の現在位置情報を取得する位置情報取得手段と、前記位置情報取得手段によって取得した位置情報に基づいて画像形成装置の動作の設定を変更する動作設定変更手段とをさらに有する。【選択図】  図２
2005031177.tif 000002
【特許請求の範囲】
【請求項１】
画像データに基づいて用紙に画像を形成する画像形成手段と、画像形成装置の動作を制御する制御手段と、ユーザが操作入力する操作手段とを有する画像形成装置において、
画像形成装置の現在位置情報を取得する位置情報取得手段と、前記位置情報取得手段によって取得した位置情報に基づいて画像形成装置の動作の設定を変更する動作設定変更手段とをさらに有する
ことを特徴とする画像形成装置。
【請求項２】
少なくとも１つの画像形成装置と少なくとも１つのサーバとがネットワークで接続されて成る画像形成システムにおいて、
前記画像形成装置が、画像形成装置の現在位置情報を取得する位置情報取得手段と、前記位置情報取得手段によって取得した位置情報を含む固有情報を前記サーバに送信する固有情報送信手段とを有し、
前記サーバが、前記固有情報に基づいて設定情報を選択する機器設定情報選択手段と、前記機器設定情報選択手段によって選択した設定情報を前記画像形成装置に送信する機器設定情報送信手段とを有し、
前記画像形成装置が、前記機器設定情報送信手段からの機器設定情報を受信する機器設定情報受信手段と、前記機器設定情報受信手段によって受信した機器設定情報に基づいて画像形成装置の設定を変更する設定変更手段とをさらに有することを特徴とする画像形成システム。
【請求項３】
前記機器設定情報はＲＯＭデータであることを特徴とする請求項２に記載の画像形成システム。
【請求項４】
前記機器設定情報は前記画像形成装置の冷却ファンの回転数情報であることを特徴とする請求項２に記載の画像形成システム。
【請求項５】
前記機器設定情報は前記画像形成装置の転写電流を決定するための情報であることを特徴とする請求項２に記載の画像形成システム。
【請求項６】
前記ＲＯＭデータが特定の位置情報を含むものであり、
前記設定変更手段が、前記ＲＯＭデータに含まれる位置情報と前記位置情報取得手段によって取得した位置情報とが一致しない場合には、前記画像形成装置の機能に制限を加える不正利用抑制防止手段を有する
ことを特徴とする請求項３に記載の画像形成システム。
【発明の詳細な説明】
【０００１】
【発明の属する技術分野】
本発明は、たとえば電子写真方式により用紙に画像形成する画像形成装置に関する。
【０００２】
【従来の技術】
従来から、移動体通信システムにおける移動体のようにある程度頻繁に移動することを前提にした装置においては、その所在地を取得し、その所在地に応じた制御を行うシステムが知られている。
【０００３】
たとえば特許文献１に開示された双方向無線情報システムでは、移動体の地理的位置に関連した情報を当該移動体に自動的に供給し、放送あるいは直接的に携帯電話網の呼の発信局からダウンロードした経路選択制御情報を提供するようにしている。
【０００４】
【特許文献１】
特開平８−１０５９５１号公報
【発明が解決しようとする課題】
このように従来から、移動体通信システムの移動体のようにその装置がある程度頻繁に移動することを前提にしている場合には、その装置の位置を取得する必要性に気付くのが通常であり、これを実現する発明はあった。ところが、たとえば画像形成装置のように一度設置した後には、あまり移動させることがない装置についてはその位置を取得することについて、その需要に通常は気付かず、着眼することさえもなかった。
【０００５】
一般に、一様に帯電させた感光体の感光層に光を当てることによって露光して潜像を形成し、この潜像を感光層にトナーを付着させることによって現像し、これを用紙に転写して画像形成を行うディジタル複写機等の電子写真方式の画像形成装置がよく知られている。
【０００６】
最近では、このような画像形成装置ではカラー化、高精度化、多機能化が進み、また、その用途も多岐にわたるものとなってきた。このため、画像形成装置の様々な機能に応じ、様々な設定、様々な制御が必要となってきた。
【０００７】
このような状況において、本発明者は、画像形成装置においてもその地理的位置を取得することの意義に気付き、それを利用する画像形成装置を発明するに至った。
【０００８】
本発明は上記の点にかんがみてなされたもので、設置場所についての情報を取得し、これに応じた制御を行うことができる画像形成装置を提供することを目的とする。
【０００９】
【課題を解決するための手段】
本発明は上記の目的を達成するために、画像データに基づいて用紙に画像を形成する画像形成手段と、画像形成装置の動作を制御する制御手段と、ユーザが操作入力する操作手段とを有する画像形成装置において、画像形成装置の現在位置情報を取得する位置情報取得手段と、前記位置情報取得手段によって取得した位置情報に基づいて画像形成装置の動作の設定を変更する動作設定変更手段とをさらに有することを特徴とする。
【００１０】
また本発明は、少なくとも１つの画像形成装置と少なくとも１つのサーバとがネットワークで接続されて成る画像形成システムにおいて、前記画像形成装置が、画像形成装置の現在位置情報を取得する位置情報取得手段と、前記位置情報取得手段によって取得した位置情報を含む固有情報を前記サーバに送信する固有情報送信手段とを有し、前記サーバが、前記固有情報に基づいて設定情報を選択する機器設定情報選択手段と、前記機器設定情報選択手段によって選択した設定情報を前記画像形成装置に送信する機器設定情報送信手段とを有し、前記画像形成装置が、前記機器設定情報送信手段からの機器設定情報を受信する機器設定情報受信手段と、前記機器設定情報受信手段によって受信した機器設定情報に基づいて画像形成装置の設定を変更する設定変更手段とをさらに有することを特徴とする。
【００１１】
また本発明は請求項２に記載の発明において、前記機器設定情報はＲＯＭデータであることを特徴とする。
【００１２】
また本発明は請求項２に記載の発明において、前記機器設定情報は前記画像形成装置の冷却ファンの回転数情報であることを特徴とする。
【００１３】
また本発明は請求項２に記載の発明において、前記機器設定情報は前記画像形成装置の転写電流を決定するための情報であることを特徴とする。
【００１４】
また本発明は請求項３に記載の発明において、前記ＲＯＭデータが特定の位置情報を含むものであり、前記設定変更手段が、前記ＲＯＭデータに含まれる位置情報と前記位置情報取得手段によって取得した位置情報とが一致しない場合には、前記画像形成装置の機能に制限を加える不正利用抑制防止手段を有することを特徴とする。
【００１５】
【発明の実施の形態】
以下、本発明の実施の形態を図面を参照して説明する。
【００１６】
図１は、本発明による画像形成装置の一実施の形態の構成を示す概略断面図である。本実施の形態では画像形成装置として電子写真方式の複写機を例に挙げて説明する。
【００１７】
ここで、図１を参照して本実施の形態による画像形成装置１００の構成および基本動作について説明する。
【００１８】
なお、本実施の形態ではカラー画像の画像形成が可能な画像形成装置について説明するが、本発明はこれに限られたものではなく、モノクロの画像形成のみが可能な画像形成装置にも適用可能であることは言うまでもない。
【００１９】
画像形成装置１００は、カラー画像形成手段用に複数組の原稿書き込みユニット１５３Ｙ、１５３Ｍ、１５３Ｃを備え、モノクロ画像形成手段用に原稿書き込みユニット１５４Ｋを備えるものである。原稿書き込みユニット１５３Ｙはイエロー色、原稿書き込みユニット１５３Ｍはマゼンタ色、原稿書き込みユニット１５３Ｃはシアン色、原稿書き込みユニット１５４Ｋは黒色の画像形成が可能になっている。
【００２０】
上記原稿書き込みユニット１５３Ｙ、１５３Ｍ、１５３Ｃ、１５４Ｋにそれぞれ対応して、感光体６Ｙ、６Ｍ、６Ｃ、６Ｋ、帯電手段７Ｙ、７Ｍ、７Ｃ、７Ｋ、現像手段８Ｙ、８Ｍ、８Ｃ、８Ｋを備えている。また、上記カラー画像形成手段、モノクロ画像形成手段に共通する中間転写ユニット９を備えており、中間転写ユニット９は、複数のローラに巻回され、回転可能に支持されて上記感光体６Ｙ、６Ｍ、６Ｃ、６Ｋと接触可能に配置されたエンドレスベルト形状の中間転写体９ａと該中間転写体９ａを上記感光体６Ｙ、６Ｍ、６Ｃ、６Ｋに接触させて画像を転写させる一次転写手段９Ｙ、９Ｍ、９Ｃ、９Ｋを有している。
【００２１】
次いで他の構成を説明すると、画像形成装置１００の上部側には、スキャナ部として機能する原稿読み取りユニット１が設けられており、ガラス面のプラテン上に原稿がセットされ、原稿読み取りユニット１で走査されて読み取られる。該原稿読み取りユニット１内には上記走査によって得られる反射光が入力されるＣＣＤ１３１が配置されている。なお、この図では図示されていないが、原稿読み取りユニットにＡＤＦ（自動原稿送り装置）を備えるものであってもよい。
【００２２】
また、画像形成装置１００の下部には、給紙トレイ２、３、４が配置されており、それぞれに給紙手段２ａ、３ａ、４ａが設けられている。また、画像形成装置１００の側方外壁部には手差しトレイ５が設けられており、該手差しトレイ５に対する給紙手段５ａが設けられている。このように複数の給紙トレイ、手差しトレイが設けられているのでサイズの異なる複数種類の用紙を用いることができる。
【００２３】
上記給紙手段２ａ〜５ａの給紙側先方にはレジストローラ１５が配置され、さらにその先方には前記中間転写体９ａに用紙を押圧可能な二次転写ローラ１６が配置されている。該二次転写ローラ１６の先方には、定着手段１７が設けられており、該定着手段１７の先方には排紙ローラ１８が設けられている。
【００２４】
画像形成装置１００では、画像形成指令にしたがって、カラーでの印刷の際には、上記原稿書き込みユニット１５３Ｙ、１５３Ｍ、１５３Ｃ、１５４Ｋによって必要に応じて形成された画像が、前記感光体６Ｙ、６Ｍ、６Ｃ、６Ｋ、帯電手段７Ｙ、７Ｍ、７Ｃ、７Ｋ、現像手段８Ｙ、８Ｍ、８Ｃ、８Ｋ、一次転写手段９Ｙ、９Ｍ、９Ｃ、９Ｋによって中間転写体９ａに転写される。一方、モノクロ印刷の際には上記原稿書き込みユニット１５４Ｋによって形成された画像が、前記感光体６Ｋ、帯電手段７Ｋ、現像手段８Ｋ、一次転写手段９Ｋによって中間転写体９ａに転写される。
【００２５】
一方、画像形成に必要な用紙は、用紙サイズ等にしたがって給紙トレイ２、３、４または手差しトレイ５のいずれかから、給紙手段２ａ、３ａ、４ａまたは５ａによって給紙され、レジストローラ１５を経て二次転写ローラ１６に至る。該二次転写ローラ１６によって用紙は中間転写体９ａに押圧され、中間転写体９ａ上の画像が用紙に転写される。画像が転写された用紙は、定着手段１７で画像の定着がなされ、排紙ローラ１８を経て画像形成装置１００の外部に排出される。
【００２６】
また、画像形成装置１００は、動作制御用の回路等が搭載された基板を備えており、この基板を冷却するための冷却ファンも設けられている。冷却ファンの回転数は後述の制御手段によって制御されるものとする。
【００２７】
図２は、図１に示した画像形成装置１００の制御に関する構成を示すブロック図である。
【００２８】
図２に示すように、画像形成装置１００は、全体の制御を行う制御手段１０１と、原稿読み取りユニット１を有し、原稿から画像を読み取る画像読取手段１０５と、原稿書き込みユニット１５３Ｙ、１５３Ｍ、１５３Ｃ、１５４Ｋを有し、たとえば紙などの画像形成用紙に画像を形成する画像形成手段１０６と、画像読取手段１０５によって読み取った画像データやそのほか、制御手段１０１で実行するプログラム、画像形成装置１００の動作に必要なパラメータ等を記憶する記憶手段１０２と、画像形成装置１００からユーザに対して情報表示したり、ユーザが画像形成装置１００に対する操作、指示等を入力する操作手段１０３と、ネットワーク１１８を介して（後に図３に示す）外部のサーバ１１７（後に図３に示す）との通信を行う通信手段１１０と、画像形成装置１００の現在位置の位置情報を取得する位置情報取得手段１１１とを有して構成される。
【００２９】
操作手段１０３は、たとえば、タッチパネル式の操作パネルである表示操作部１０３ａ（図３に示す）と固定釦式の操作部１０３ｂ（図３に示す）とを有して構成される。
【００３０】
また、この操作手段１０３の表示操作部１０３ａは、ＣＲＴ、液晶、ＥＬ等の表示パネル部と、表示パネルの釦位置に対応した座標位置の取得を行うタッチパネル、マウス等の入力装置部とを含むものであってもよい。
【００３１】
記憶手段１０２は、画像形成装置１００の出荷時に予め動作制御プログラム等を記憶させたＲＯＭや、画像形成装置１００の動作中に画像データ等を記憶するハードディスク等を含む。
【００３２】
位置情報取得手段１１１は、画像形成装置１００の現在位置の位置情報を取得可能な手段であり、これは、たとえば、ＰＨＳ（Ｐｅｒｓｏｎａｌ  Ｈａｎｄｙ−ｐｈｏｎｅ  Ｓｙｓｔｅｍ）用のアンテナや送受信回路等を備え、このＰＨＳを利用して自身の位置情報を取得するものであってもよいし、ＧＰＳ（Ｇｌｏｂａｌ  Ｐｏｓｉｔｉｏｎｉｎｇ  Ｓｙｓｔｅｍ）用のアンテナや受信回路等を備え、このＧＰＳを利用して自身の位置情報を取得するものであってもよいし、もちろん他の方法であってもかまわない。たとえば、この位置情報取得手段１１１は、操作者が操作手段１０３によって位置情報を入力し、記憶手段１０２に登録し、これを取得した位置情報とするようなものであってもよい。
【００３３】
位置情報としては、たとえば郵便番号、住所、電話番号、緯度、経度、高度などの単独または組み合わせによって画像形成装置１００の位置を特定することができる情報を用いることができ、また、たとえば電話番号と住所との対応付け、緯度および経度と住所との対応付けなど、位置情報どうしの対応付けを示す位置情報変換テーブルを、記憶手段１０２または画像形成装置１００が通信可能なサーバ１１７に保持しておき、必要に応じて変換できるようにしてもよい。
【００３４】
図３は、本発明による画像形成装置を含むネットワーク構成の画像形成システムの一実施の形態を示すブロック図である。
【００３５】
図３に示すように、本実施の形態の画像形成システムは、画像形成装置１００と画像形成装置１１５と画像形成装置１１６とサーバ１１７とをネットワーク１１８で接続して構成される。
【００３６】
本実施の形態では、画像形成装置１００は、図１および図２に示して前述したようにディジタル複写機であり、画像形成装置１１５、１１６も同様であるので、ここでは代表して画像形勢装置１００について説明していく。
【００３７】
サーバ１１７は、いわゆる情報処理装置であり、デスクトップ型のパソコンやワークステーション等に限られず、より大型またはより小型の装置であってもかまわない。
【００３８】
サーバ１１７は記憶手段（図示せず）を有し、この記憶手段に、ネットワーク１１８によって接続された画像形成装置の位置情報に対応付けてその画像形成装置の各種設定情報を記憶してある。
【００３９】
ネットワーク１１８は、本実施の形態ではＬＡＮであり、画像形成装置１００、１１５、１１６やサーバ１１７のそれぞれは、このＬＡＮを介して通信するためのインタフェースである通信手段（画像形成装置では図２に示した通信手段１１０）を有する。
【００４０】
なお、本実施の形態では、ネットワーク１１８がＬＡＮであるとしているが、本発明はこれに限られるものではなく、各装置が接続されるネットワーク１１８は、有線網であっても無線網であってもかまわないし、一般公衆回線網であってもインターネット網等であってもかまわない。
【００４１】
次に、本実施の形態の動作について図面を参照しながら詳細に説明する。
【００４２】
図４は、図１に示した本実施の形態の画像形成装置１００の動作の一例を示すフローチャートである。
【００４３】
画像形成装置１００の制御手段１０１では、まず、位置情報取得手段１１１によって画像形成装置１００の位置情報を取得する（Ａ−１）。この位置情報取得手段１１１は、上述のようにたとえばＧＰＳによって位置情報を得るものである。
【００４４】
位置情報を取得した制御手段１０１では、たとえば記憶手段１０２に予め記憶してある位置情報と各種設定情報との対応付けに基づいて、画像形成装置１００が設置してある場所に適した設定情報を記憶手段１０２から読み出して、それに基づいて設定を実行すなわち画像形成装置１００の動作上において利用する。これが動作設定変更手段である。
【００４５】
この設定情報としては、たとえば、時刻の修正（時差の考慮）、言語の修正等があり、位置情報取得手段１１１によって取得した位置情報に対応させて、画像形成装置１００で用いる時刻をその設置場所に適したものにしたり、画像形成装置１００のたとえば操作手段１０３で用いる言語をその設置場所に適したものにしたりなど、制御手段１０１で制御することができる。
【００４６】
また、本実施の形態では、さらに、位置情報取得手段１１１によって取得した位置情報をサーバ１１７に送信する（Ａ−２）。このとき、画像形成装置１００の装置を特定できるシリアル番号や、画像形成装置１００の記憶手段１０２が有するＲＯＭに格納されたプログラムのバージョンを示すＲＯＭバージョン等の情報も、位置情報とともに、固有情報として、サーバ１１７に送信するようにしてもよい。これが固有情報送信手段である。
【００４７】
これらを受け取ったサーバ１１７では、受信した位置情報の地域に向けた設定情報や、ＲＯＭバージョンの新しいものが自身の記憶手段にないか検索を行う。また、サーバ１１７では、その画像形成装置１００に関して制御プログラム等の各種アップデート情報がないか検索を行う。
【００４８】
サーバ１１７では、これらの検索の結果、画像形成装置１００の設置場所に適した設定情報や制御プログラム等や、アップデートすなわち更新するべき設定情報や制御プログラム等が存在する場合には、それらを画像形成装置１００に対して送信する。以上がサーバにおける機器設定情報選択手段および機器設定情報送信手段である。
【００４９】
画像形成装置１００の制御手段１０１では、このサーバ１１７からの設定情報や制御プログラム等を受信し（Ａ−３）、必要に応じて記憶手段１０２に保存し、それに基づいて設定を実行すなわち画像形成装置１００の動作上において利用する（Ａ−４）。以上が機器設定情報受信手段および設定変更手段であり、また、動作設定変更手段である。
【００５０】
なお、上述の設定情報や制御プログラム等の更新は、あらかじめ定めた所定時間（期間）間隔で定期的に行ってもよいし、画像形成装置１００の電源投入、起動時に行うようにしてもよいし、予め定めた所定のタイミングで行うようにしてもよいし、たとえば操作手段１０３を用いた操作者による実行指示を受けて行うようにしてもよい。また、上述の設定情報や制御プログラム等の更新の実行指示や実行タイミングの決定等を行うことができるのは、予め定めた権限ある管理者のみに限定するのが望ましい。この管理者の認証は、操作手段１０３を用いて操作者がユーザＩＤやパスワード等を入力し、これと予め記憶手段１０２に登録してある管理者のものとを制御手段１０１にて照合することによって行うようにすればよい。
【００５１】
次に、設定情報等の具体的な例について説明する。
【００５２】
たとえば、画像形成のγ特性等を特定のユーザ向けにしたり、様々な特別な動作制御、設定をした特別なＲＯＭをその特定のユーザに提供する場合、従来は、サービスマンが現地に赴いてＲＯＭの更新を行う必要があった。これが、本実施の形態によれば、サーバ１１７に画像形成装置にそのＲＯＭと画像形成装置の位置情報を登録しておくだけで、自動でＲＯＭの更新を行うことができる。
【００５３】
また、この場合、ＲＯＭの在所は画像形成装置側ではわからないので、セキュリティの向上にも繋がる。
【００５４】
ところで、悪意を持ったユーザが上記特別なＲＯＭを別の画像形成装置に入れようとした場合、画像形成装置において、そのＲＯＭに含まれる位置情報とＧＰＳなどの位置情報取得手段１１１による取得結果とが一致しなければ、そのＲＯＭにある特別な動作（機能）を行わないように制御するのが望ましい。これが不正利用抑制防止手段である。
【００５５】
また、位置情報に基づいて制御、設定を変える例として、画像形成装置の設置場所が寒冷地、熱帯地、湿地帯などの環境の地域の場合が挙げられる。このような場合、その地域の温度、湿度等に応じて、たとえば画像形成装置の冷却ファンの回転数を調節して基板の発熱を一定に保ち高熱による異常動作を防ぐことができる。
【００５６】
また、画像形成装置では、温度や湿度によって転写するトナー量が変化するため、これを一定に保つためのセンサを予め備えているが、このセンサが故障した場合であっても、サーバ１１７から、画像形成装置の設置場所における温度や湿度のパラメータを取得することによって、適切なトナー量とすることができる。この場合、画像形成装置のある部屋に温度および湿度を測るセンサを設置し、取得した温度データおよび湿度データと位置情報とをサーバに送信して、サーバからの指示に基づいて画像形成時の転写制御（転写電流値の調節）をするようにしてもよい。
【００５７】
また、別の例として、画像形成装置にグリニッジ標準時間（ＧＭＴ）が登録してあることを前提とし、ＧＰＳ等の位置情報取得手段によって設置場所の緯度、経度を取得して時間の差分を算出し、その地域の的確な時刻に変換して表示させることが可能である。たとえば、中国やアメリカなどでは東西南北で時刻にズレが生じてくるため、画像形成装置を移動させたような場合には、従来は、操作者が時刻の再設定を行う必要があったが、本実施の形態によれば、自動で時刻を算出することができるので再設定の手間がなくなる。また、画像形成装置の設置場所がアメリカであれば英語で、設置場所が日本であれば日本語でというように、位置情報に応じて言語の切り替えを行うこともでき、操作手段においては的確な言語を自動的に選択し表示することができる。
【００５８】
【発明の効果】
以上説明したように、本発明によれば、設置場所についての情報を取得し、これに応じた制御を行うことができる画像形成装置を提供することができる。
【００５９】
すなわち本発明によれば、画像形成装置の動作を、位置情報に基づいて自動的にその地域、国に向けた制御、設定情報に変更することができる。
【００６０】
また本発明によれば、ＲＯＭプログラムなど、サーバから画像形成装置にダウンロードした情報の在処を他人に知られることがないので、セキュリティが高い。
【００６１】
また本発明によれば、位置情報に基づいて画像形成装置の正確な場所がわかり、特別なＲＯＭの更新が簡単にできる。
【００６２】
また本発明によれば、位置情報に基づいてその地域の気候に合った冷却ファンの制御動作ができ、熱による異常動作を抑えることができる。
【００６３】
また本発明によれば、位置情報に基づいてその地域に合った画像形成時の転写電流値がわかり、センサ異常時にも画質を安定させることができる。
【００６４】
また本発明によれば、ＧＰＳ等の位置情報取得手段で取得した位置情報とＲＯＭの位置情報とが一致しない場合にはその特別なＲＯＭの動作をさせないように制御することができ、セキュリティが向上される。
【図面の簡単な説明】
【図１】本発明による画像形成装置の一実施の形態の構成を示す概略断面図である。
【図２】図１に示した画像形成装置の制御に関する構成を示すブロック図である。
【図３】本発明による画像形成装置を含むネットワーク構成の画像形成システムの一実施の形態を示すブロック図である。
【図４】図１に示した本実施の形態の画像形成装置の動作の一例を示すフローチャートである。
【符号の説明】
１  原稿読み取りユニット
２、３、４  給紙トレイ
２ａ、３ａ、４ａ  給紙手段
５  手差しトレイ
５ａ  給紙手段
６Ｙ、６Ｍ、６Ｃ、６Ｋ  感光体
７Ｙ、７Ｍ、７Ｃ、７Ｋ  帯電手段
８Ｙ、８Ｍ、８Ｃ、８Ｋ  現像手段
９  中間転写ユニット
９ａ  中間転写体
９Ｙ、９Ｍ、９Ｃ、９Ｋ  一次転写手段
１５  レジストローラ
１６  二次転写ローラ
１７  定着手段
１８  排紙ローラ
１３１  ＣＣＤ
１５３Ｙ、１５３Ｍ、１５３Ｃ  原稿書き込みユニット
１５４Ｋ  原稿書き込みユニット
１００  画像形成装置
１０１  制御手段
１０２  記憶手段
１０３  操作手段
１０５  画像読取手段
１０６  画像形成手段
１１０  通信手段
１１１  位置情報取得手段
１１５、１１６  画像形成装置
１１７  サーバ
１１８  ネットワーク
【図１】
2005031177.tif 000003
【図２】
2005031177.tif 000004
【図３】
2005031177.tif 000005
【図４】
2005031177.tif 000006